(57)【要約】【課題】  生産性が良く、安価なカメラモジュールを提供する。【解決手段】  本発明のカメラモジュールは、レンズ５を保持した保持部材１と、レンズ５に対向して配置された撮像素子９と、この撮像素子９の裏面を支持した絶縁基板７と、撮像素子９の電極９ｂと絶縁基板７に設けられた配線パターン８との間を接続するワイヤ１０とを備え、保持部材１の下部筒状部３は、コ字状に配置された３つの外壁３ａと、外壁３ａよりも高さの低い１つの隔壁３ｂを有し、撮像素子９の一辺側と、この一辺側に設けられたワイヤ１０を除く大部分のワイヤ１０と撮像素子９が下部筒状部３内に収納された状態となっているため、絶縁樹脂部１１は、撮像素子９の一辺側のワイヤ１０のみを被覆するだけで良く、従って、絶縁樹脂部１１の形成作業が容易で、安価なものが得られる。【選択図】        図１
2006270569.tif 000002
【特許請求の範囲】
【請求項１】
レンズを保持した保持部材と、前記レンズに対向して配置された撮像素子と、この撮像素子の裏面を支持した状態で、前記保持部材の下部に配置された四角形の絶縁基板と、前記撮像素子の電極と前記絶縁基板に設けられた配線パターンとの間を接続するワイヤとを備え、前記保持部材は、四角筒状の下部筒状部を有すると共に、この下部筒状部は、コ字状に配置された３つの外壁と、この外壁の下端部から段差を持って形成され、前記外壁よりも高さの低い１つの隔壁を有し、前記ワイヤを含む前記撮像素子が前記下部筒状部内に収納された状態で、前記絶縁基板は、前記外壁の下端部に載置されると共に、前記撮像素子の一辺側は、一部の前記ワイヤと一部の前記絶縁基板と共に前記隔壁の位置から外方に突出し、前記隔壁外に露出した前記ワイヤが絶縁樹脂部によって被覆されたことを特徴とするカメラモジュール。
【請求項２】
前記下部筒状部は、対向する一対の前記外壁のそれぞれに繋がり、前記隔壁の両端部から前記絶縁基板の対向する側辺に沿って外方の延びる一対の延設壁を有し、この延設壁と、前記隔壁、及び前記絶縁基板との間に形成された空間部において、前記絶縁樹脂部が設けられたことを特徴とする請求項１記載のカメラモジュール。
【請求項３】
前記下部筒状部は、前記絶縁基板から間隔を置いて上方に設けられ、一対の前記延設壁間の上部を塞ぐ天板部を有し、この天板部と、前記延設壁と、前記隔壁、及び前記絶縁基板との間に形成された空間部において、前記絶縁樹脂部が設けられたことを特徴とする請求項２記載のカメラモジュール。
【請求項４】
前記隔壁の下端部は、前記撮像素子の上面から離れた状態で配置されたことを特徴とする請求項１から３の何れかに記載のカメラモジュール。
【請求項５】
前記撮像素子は、前記絶縁基板の中心部から前記隔壁側にずれた状態で、前記絶縁基板に取り付けられたことを特徴とする請求項１から４の何れかに記載のカメラモジュール。
【請求項６】
前記撮像素子は、この撮像素子の中心からずれた位置に受光部を有し、この受光部が光軸の位置に配置されたことを特徴とする請求項１から５の何れかに記載のカメラモジュール。
【発明の詳細な説明】
【技術分野】
【０００１】
本発明は携帯電話機等の電気機器に使用して好適なカメラモジュールに関する。
【背景技術】
【０００２】
図４は従来のカメラモジュールに係る要部断面図を示し、従来のカメラモジュールの構成を図４に基づいて説明すると、筒状の保持部材５１は、外形の大きな上部筒状部５１ａと、この上部筒状部５１ａに繋がり、上部筒状部５１ａより外形の小さい下部筒状部５１ｂと、レンズ５２が取り付けら、上部筒状部５１ａにねじ込まれた取付部５１ｃとを有する。
【０００３】
平板からなる絶縁基板５３には、配線パターン５４が設けられると共に、平板状の撮像素子５５は、下面が絶縁基板５３に支持された状態で、電極５６が配線パターン５４にワイヤ５７によって接続されて、絶縁基板５３に取り付けられた撮像素子５５は、上面が下部筒状部５１ｂの下端部に当接された状態で、配設される。
【０００４】
この時、撮像素子５５の外周部と、全てのワイヤ５７が下部筒状部５１ｂから外方に露出した状態となり、この下部筒状部５１ｂの全外周部には、絶縁樹脂部５８設けられ、ワイヤ５７が絶縁樹脂部５８によって被覆されて、ワイヤ５７の断線が防止されることによって、従来のカメラモジュールが形成されている。（例えば、特許文献１参照）
【０００５】
しかし、従来のカメラモジュールは、撮像素子５５の外周部と、全てのワイヤ５７が下部筒状部５１ｂから外方に露出し、絶縁樹脂部５８が下部筒状部５１ｂの全外周部に設けられて、全てのワイヤ５７が絶縁樹脂部５８によって被覆されるため、絶縁樹脂部５８の形成作業が面倒で、生産性が悪く、コスト高になる。
【０００６】
【特許文献１】特開２００４−２４２１６６号公報
【発明の開示】
【発明が解決しようとする課題】
【０００７】
従来のカメラモジュールは、撮像素子５５の外周部と、全てのワイヤ５７が下部筒状部５１ｂから外方に露出し、絶縁樹脂部５８が下部筒状部５１ｂの全外周部に設けられて、全てのワイヤ５７が絶縁樹脂部５８によって被覆されるため、絶縁樹脂部５８の形成作業が面倒で、生産性が悪く、コスト高になるという問題がある。
【０００８】
そこで、本発明は生産性が良く、安価なカメラモジュールを提供することを目的とする。
【課題を解決するための手段】
【０００９】
上記課題を解決するための第１の解決手段として、レンズを保持した保持部材と、前記レンズに対向して配置された撮像素子と、この撮像素子の裏面を支持した状態で、前記保持部材の下部に配置された四角形の絶縁基板と、前記撮像素子の電極と前記絶縁基板に設けられた配線パターンとの間を接続するワイヤとを備え、前記保持部材は、四角筒状の下部筒状部を有すると共に、この下部筒状部は、コ字状に配置された３つの外壁と、この外壁の下端部から段差を持って形成され、前記外壁よりも高さの低い１つの隔壁を有し、前記ワイヤを含む前記撮像素子が前記下部筒状部内に収納された状態で、前記絶縁基板は、前記外壁の下端部に載置されると共に、前記撮像素子の一辺側は、一部の前記ワイヤと一部の前記絶縁基板と共に前記隔壁の位置から外方に突出し、前記隔壁外に露出した前記ワイヤが絶縁樹脂部によって被覆された構成とした。
【００１０】
また、第２の解決手段として、前記下部筒状部は、対向する一対の前記外壁のそれぞれに繋がり、前記隔壁の両端部から前記絶縁基板の対向する側辺に沿って外方の延びる一対の延設壁を有し、この延設壁と、前記隔壁、及び前記絶縁基板との間に形成された空間部において、前記絶縁樹脂部が設けられた構成とした。
【００１１】
また、第３の解決手段として、前記下部筒状部は、前記絶縁基板から間隔を置いて上方に設けられ、一対の前記延設壁間の上部を塞ぐ天板部を有し、この天板部と、前記延設壁と、前記隔壁、及び前記絶縁基板との間に形成された空間部において、前記絶縁樹脂部が設けられた構成とした。
【００１２】
また、第４の解決手段として、前記隔壁の下端部は、前記撮像素子の上面から離れた状態で配置された構成とした。
また、第５の解決手段として、前記撮像素子は、前記絶縁基板の中心部から前記隔壁側にずれた状態で、前記絶縁基板に取り付けられた構成とした。
また、第６の解決手段として、前記撮像素子は、この撮像素子の中心からずれた位置に受光部を有し、この受光部が光軸の位置に配置された構成とした。
【発明の効果】
【００１３】
本発明のカメラモジュールは、レンズを保持した保持部材と、レンズに対向して配置された撮像素子と、この撮像素子の裏面を支持した状態で、保持部材の下部に配置された四角形の絶縁基板と、撮像素子の電極と絶縁基板に設けられた配線パターンとの間を接続するワイヤとを備え、保持部材は、四角筒状の下部筒状部を有すると共に、この下部筒状部は、コ字状に配置された３つの外壁と、この外壁の下端部から段差を持って形成され、外壁よりも高さの低い１つの隔壁を有し、ワイヤを含む撮像素子が下部筒状部内に収納された状態で、絶縁基板は、外壁の下端部に載置されると共に、撮像素子の一辺側は、一部のワイヤと一部の絶縁基板と共に隔壁の位置から外方に突出し、隔壁外に露出したワイヤが絶縁樹脂部によって被覆された構成とした。
即ち、撮像素子の一辺側と、この一辺側に設けられたワイヤを除く大部分のワイヤと撮像素子が下部筒状部内に収納された状態となっているため、絶縁樹脂部は、撮像素子の一辺側のワイヤのみを被覆するだけで良く、従って、従来に比して絶縁樹脂部の形成作業が容易で、生産性が良く、安価なものが得られる。
【００１４】
また、下部筒状部は、対向する一対の外壁のそれぞれに繋がり、隔壁の両端部から絶縁基板の対向する側辺に沿って外方の延びる一対の延設壁を有し、この延設壁と、隔壁、及び絶縁基板との間に形成された空間部において、絶縁樹脂部が設けられたため、絶縁樹脂部の横方向の漏れが延設壁で防止され、絶縁樹脂部の留まりの良好なものが得られる。
【００１５】
また、下部筒状部は、絶縁基板から間隔を置いて上方に設けられ、一対の延設壁間の上部を塞ぐ天板部を有し、この天板部と、延設壁と、隔壁、及び絶縁基板との間に形成された空間部において、絶縁樹脂部が設けられたため、天板部と、延設壁と、隔壁、及び絶縁基板との間に形成された空間部は、筒状となし、この筒状の開口部側を上にした状態で、絶縁樹脂部を充填することができて、絶縁樹脂部の充填の容易なものが得られる。
【００１６】
また、隔壁の下端部は、撮像素子の上面から離れた状態で配置されたため、撮像素子は、組立の際に隔壁に当接することが無く、従って、撮像素子の割れの無いものが得られる。
【００１７】
また、撮像素子は、絶縁基板の中心部から隔壁側にずれた状態で、絶縁基板に取り付けられたため、撮像素子が絶縁基板の中心部に左右対称な位置に配置されるもの比して、絶縁基板の小型化が図れて、小型のものが得られる。
【００１８】
また、撮像素子は、この撮像素子の中心からずれた位置に受光部を有し、この受光部が光軸の位置に配置されたため、受光部が撮像素子の中心部に配置されているものに比して、撮像素子の小型化が図れて、小型のものが得られる。
【発明を実施するための最良の形態】
【００１９】
本発明のカメラモジュールの図面を説明すると、図１は本発明のカメラモジュールに係る要部断面図、図２は本発明のカメラモジュールに係る保持部材の下面図、図３は本発明のカメラモジュールに係る保持部材を下部側から見た要部の斜視図である。
【００２０】
次に、本発明のカメラモジュールに係る構成を図１〜図３に基づいて説明すると、合成樹脂の成型品等からなる保持部材１は、円筒からなる上部筒状部２と、この上部筒状部２内に設けられ、中央部に孔２ａを有する環状の鍔部２ｂと、上部筒状部２の下部に繋がり、上部筒状部２より外形の大きな四角筒状からなる下部筒状部３と、中央部に孔４ａを有し、上部筒状部２の前方に被せられたキャップ４を有する。
【００２１】
また、下部筒状部３は、コ字状に配置された３つの外壁３ａと、この外壁３ａの下端部から段差を持って形成され、外壁３ａよりも高さの低い１つの隔壁３ｂと、対向する一対の外壁３ａのそれぞれに繋がり、隔壁３ｂの両端部から直線状に外方の延びる一対の延設壁３ｃと、この一対の延設壁３ｃ間の上部を塞ぐ天板部３ｄを有する。
【００２２】
レンズ５は、上部筒状部２内に取り付けられると共に、レンズ５と対向する赤外線除去フィルタ（ＩＲカットフィルタ）６は、上部筒状部２内に取り付けられている。
【００２３】
絶縁材からなる平板状の絶縁基板７には、配線パターン８が設けられると共に、この絶縁基板７には、裏面（下部）が接着剤等によって絶縁基板７に支持された状態で、レンズ５に対向する四角形の撮像素子９が取り付けられている。
この撮像素子９は、中心からずれた位置の上面に設けられた受光部９ａと、外周縁に沿って上面に設けられた多数の電極９ｂを有し、この撮像素子９は、電極９ｂがワイヤ１０によってそれぞれ配線パターン８に接続されると共に、撮像素子９は、後述するように、レンズ５の光軸Ｋ（絶縁基板７の中心部）からずれた位置に配置されている。
【００２４】
このように、撮像素子９を取り付けた絶縁基板７は、ワイヤ１０を含む撮像素子９の大部分が下部筒状部３内に収納された状態で、外壁３ａの下端部に載置されると共に、撮像素子９の一辺側は、一部のワイヤ１０と一部の絶縁基板７と共に隔壁３ｂの位置から外方に突出して露出した状態となっている。
【００２５】
この時、隔壁３ｂの下端部は、撮像素子９の上面に当接せず、且つ、絶縁基板７の対向する側辺の一部は、それぞれ延設壁３ｃに沿って外方に延びて（突出して）、天板部３ｄと絶縁基板７の突出部は、互いに間隔を置いて対向した状態になると共に、隔壁３ｂと、延設壁３ｃと、天板部３ｄ、及び絶縁基板７とで形成され、保持部材１外に露出された空間部は、筒状をなしている。
【００２６】
即ち、下部筒状部３の下部に配置された絶縁基板７の中心部は、光軸Ｋと位置するが、絶縁基板７に取り付けられた撮像素子９は、絶縁基板７の中心部（光軸Ｋ）から隔壁３ｂ側にずれた位置に配置されると共に、撮像素子９に設けられた受光部９ａは、撮像素子９の中心部から隔壁３ｃと対向する外壁３ａ側にずれた位置に配置されて、光軸Ｋの位置となっている。
そして、絶縁樹脂が筒状をなした空間部の開放部側から空間部内に充填されて、ワイヤ１０を覆う絶縁樹脂部１１が形成されて、この絶縁樹脂部１１によってワイヤ１０の断線を防止することによって、本発明のカメラモジュールが形成されている。
【００２７】
なお、この実施例では、延設壁３ｃと天板部３ｄを設けたもので説明したが、延設壁３ｃと天板部３ｄの何れか一方、或いは双方を削除したものでも良い。
【図面の簡単な説明】
【００２８】
【図１】本発明のカメラモジュールに係る要部断面図。
【図２】本発明のカメラモジュールに係る保持部材の下面図。
【図３】本発明のカメラモジュールに係る保持部材を下部側から見た要部の斜視図。
【図４】従来のカメラモジュールに係る要部断面図。
【符号の説明】
【００２９】
１：保持部材
２：上部筒状部
２ａ：孔
２ｂ：鍔部
３：下部筒状部
３ａ：外壁
３ｂ：隔壁
３ｃ：延設壁
３ｄ：天板部
４：キャップ
４ａ：孔
５：レンズ
６：赤外線除去フィルタ
７：絶縁基板
８：配線パターン
９：撮像素子
９ａ：受光部
９ｂ：電極
１０：ワイヤ
１１：絶縁樹脂部
Ｋ：光軸（絶縁基板の中心部）
【図１】
2006270569.tif 000003
【図２】
2006270569.tif 000004
【図３】
2006270569.tif 000005
【図４】
2006270569.tif 000006